(57)【要約】【課題】併配の実現を容易にさせるポスティングの情報共有方法および装置を提供する。【解決手段】クライアントの情報端末から配布依頼に関するデータを受信するステップと、受信した配布依頼に関するデータに基づいて配布情報を作成し、作成した配布情報を、クライアントとは別のクライアントの情報端末に表示させるステップと、別のクライアントの情報端末から併配依頼に関するデータを受信するステップと、受信した併配依頼に関するデータに基づいて併配が成立したこと示すデータを作成し、作成した併配が成立したこと示すデータを、クライアントの情報端末に表示させるステップ（Ｓ６０５）とを備える。【選択図】図６
2020154522.tif 000002
【特許請求の範囲】
【請求項１】
ポスティングの併配の実現を容易にするための、コンピューターにより実行される、情報共有方法であって、
クライアントの情報端末から配布依頼に関するデータを受信するステップと、
前記受信した配布依頼に関するデータに基づいて配布情報を作成し、前記作成した配布情報を、前記クライアントとは別のクライアントの情報端末に表示させるステップと、
前記別のクライアントの情報端末から併配依頼に関するデータを受信するステップと、
前記受信した併配依頼に関するデータに基づいて併配が成立したこと示すデータを作成し、前記作成した併配が成立したこと示すデータを、前記クライアントの情報端末に表示させるステップと
を備えることを特徴とする情報共有方法。
【請求項２】
前記コンピューターが、配布価格の基準価格を有し、前記方法は、前記受信した配布依頼に関するデータに基づいて前記基準価格に係数を乗算することにより配布価格を計算し、前記計算した配布価格を前記クライアントの情報端末に表示させるステップと、前記併配依頼に関するデータに基づいて、前記係数よりも小さい値を前記基準価格に乗算することにより併配の配布価格を計算し、前記計算した併配の配布価格を前記クライアントの情報端末に表示させるステップとをさらに含むことを特徴とする請求項１に記載の情報共有方法。
【請求項３】
前記受信した配布依頼に関するデータに基づいて配布情報を作成し、前記作成した配布情報を、前記クライアントとは別のクライアントの情報端末に表示させるステップは、前記作成した配布情報を、配布員の情報端末に表示させるステップを含むことを特徴とする請求項１または２に記載の情報共有方法。
【請求項４】
前記計算した併配の配布価格を、配布員の情報端末に表示させるステップをさらに備えることを特徴とする請求項２に記載の情報共有方法。
【請求項５】
ポスティングの併配の実現を容易にするための情報共有装置であって、
クライアントの情報端末から配布依頼に関するデータを受信する手段と、
前記受信した配布依頼に関するデータに基づいて配布情報を作成し、前記作成した配布情報を、前記クライアントとは別のクライアントの情報端末に表示させる手段と、
前記別のクライアントの情報端末から併配依頼に関するデータを受信する手段と、
前記受信した併配依頼に関するデータに基づいて併配が成立したこと示すデータを作成し、前記作成した併配が成立したこと示すデータを、前記クライアントの情報端末に表示させる手段と
を備えたことを特徴とする情報共有装置。
【請求項６】
前記情報共有装置が、配布価格の基準価格を有し、前記受信した配布依頼に関するデータに基づいて前記基準価格に係数を乗算することにより配布価格を計算し、前記計算した配布価格を前記クライアントの情報端末に表示させる手段と、前記併配依頼に関するデータに基づいて、前記係数よりも小さい値を前記基準価格に乗算することにより併配の配布価格を計算し、前記計算した併配の配布価格を前記クライアントの情報端末に表示させる手段とを備えたことを特徴とする請求項５に記載の情報共有装置。
【請求項７】
前記受信した配布依頼に関するデータに基づいて配布情報を作成し、前記作成した配布情報を、前記クライアントとは別のクライアントの情報端末に表示させる手段は、前記作成した配布情報を、配布員の情報端末に表示させる手段を含むことを特徴とする請求項５または６に記載の情報共有装置。
【請求項８】
前記計算した併配の配布価格を、配布員の情報端末に表示させる手段をさらに備えたことを特徴とする請求項６に記載の情報共有装置。
【発明の詳細な説明】
【技術分野】
【０００１】
本発明は、ポスティングの情報共有方法および装置に関し、より詳細には、スマートフォンを使用するクラウドシステムにおける、ポスティングの情報共有方法および装置に関する。
【背景技術】
【０００２】
従来、宣伝広告をする個人店や小規模店舗のオーナーなどのクライアントは、ビラやチラシなどを各戸の郵便受けなどに入れるポスティングの業務を、ポスティング会社などの業者に委託している。クライアントにとって、ポスティングにかかる費用は大きな負担となっている。一方、ポスティングを受託する業者から仕事を受けるなどにより、実際にポスティングをする配布員にとって、ポスティングは、一軒当たりの配布単価が低く、能率が良いとは言えない状態にある。
【０００３】
もし配布員が、一軒に対して、複数のクライアントのビラやチラシを同時に配布する併配をすることができるならば、ポスティングにおける、クライアントの委託金額を下げることができて、配布員の受託金額を上げることができる。
【０００４】
新聞の折込み広告の発注と配布とを容易にするシステムとして、地図データを表示し、ユーザーが配布希望エリアを地図データ上で指定すると、配布希望エリアに関連し、費用対効果に見合った新聞販売店が抽出されるシステムが知られている（例えば、特許文献１（第７−１１頁、第３図）参照）。
【０００５】
また、ポスティング用の地図上の配達ルートに沿った移動により、投函すべきポスティング用ダイレクトメールの投函を可能にするシステムとして、顧客の緯度経度データおよび地図データを使用して、各顧客の位置を付した顧客位置入り地図を生成し、優待内容データを使用して、顧客用のダイレクトメールおよび顧客位置入りブロック地図を生成することによって、ポスティング用の地図およびダイレクトメールを出力するシステムが知られている（例えば、特許文献２（第１０−１４頁、第１図）参照）。
【先行技術文献】
【特許文献】
【０００６】
【特許文献１】特許第５４５２７６３号明細書
【特許文献２】特開２００２−３０４５７３号公報
【発明の概要】
【発明が解決しようとする課題】
【０００７】
しかしながら、クライアントは、もし別のクライアントが、同一期間内に同一配布エリアにおいてポスティングを予定していても、その予定を知ることができず、配布員に併配を依頼することができないという問題があった。
【０００８】
本発明は、このような問題に鑑みてなされたもので、その目的とするところは、併配の実現を容易にさせることができる、ポスティングの情報共有方法および装置を提供することにある。
【課題を解決するための手段】
【０００９】
このような目的を達成するために、本発明の一態様は、コンピューターにより実行される情報共有方法であって、クライアントの情報端末から配布依頼に関するデータを受信するステップと、受信した配布依頼に関するデータに基づいて配布情報を作成し、作成した配布情報を、クライアントとは別のクライアントの情報端末に表示させるステップと、別のクライアントの情報端末から併配依頼に関するデータを受信するステップと、受信した併配依頼に関するデータに基づいて併配が成立したこと示すデータを作成し、作成した併配が成立したこと示すデータを、クライアントの情報端末に表示させるステップとを備える。
【００１０】
本発明の別の態様は、情報共有装置であって、クライアントの情報端末から配布依頼に関するデータを受信する手段と、受信した配布依頼に関するデータに基づいて配布情報を作成し、作成した配布情報を、クライアントとは別のクライアントの情報端末に表示させる手段と、別のクライアントの情報端末から併配依頼に関するデータを受信する手段と、受信した併配依頼に関するデータに基づいて併配が成立したこと示すデータを作成し、作成した併配が成立したこと示すデータを、クライアントの情報端末に表示させる手段とを備える。
【発明の効果】
【００１１】
本発明によれば、配布員のポスティングの能率を上げ、クライアントのポスティングの委託契約後において配布価格を下げることが可能となる。
【図面の簡単な説明】
【００１２】
【図１】本発明の一実施形態にかかるポスティングの情報共有をするシステムを示す構成図である。
【図２】本発明の一実施形態にかかるポスティングの情報共有装置を示すブロック図である。
【図３】本発明の一実施形態にかかるポスティングの情報共有方法を示すフローチャートである。
【図４】本発明の一実施形態にかかるポスティングの情報共有方法を示すフローチャートである。
【図５】本発明の一実施形態にかかる併配が実現する場合のポスティングの情報共有方法を示すフローチャートである。
【図６】本発明の一実施形態にかかる併配が実現する場合のポスティングの情報共有方法を示すフローチャートである。
【図７】本発明の一実施形態にかかるポスティングの情報共有装置に含まれるデータベースにおけるテーブルを例示する図である。
【図８】本発明の一実施形態にかかる併配が実現する場合のポスティングの情報共有方法に用いるクライアントおよび配布員の配布価格を例示する図である。
【図９】本発明の別の実施形態にかかる併配を促す場合のポスティングの情報共有方法を示すフローチャートである。
【発明を実施するための形態】
【００１３】
以下、図面を参照しながら本発明の実施形態について詳細に説明する。
【００１４】
図１は、本発明の一実施形態にかかるポスティングの情報共有をするシステムを示す構成図である。ポスティングのための配布依頼を受け付けて、配布情報を公開する情報共有装置１０１と、クライアントが配布依頼をする、情報端末であるスマートフォン１０２および１０３と、配布員が配布依頼を受ける、情報端末であるスマートフォン１０４とが、通信回線であるインターネット１０５を通じて接続されている。
【００１５】
情報共有装置１０１は、配布依頼テーブルを有する配布依頼データベース１１１と、配布エリア情報を有する配布エリア情報データベース１１２と、ポスティング予約テーブルを有するポスティング予約データベース１１３と、担当配布依頼情報テーブルを有する担当配布依頼情報データベース１１４とを含んでいる。
【００１６】
配布依頼データベース１１１は、データとして、例えば、後述する図７（ａ）を参照して、クライアントがスマートフォンから配布依頼をすると情報共有装置１０１が割り当てる配布依頼コード、クライアントがスマートフォンから会員登録をすると情報共有装置１０１が割り当てるクライアントコード、クライアントによりスマートフォンから各々入力される依頼年月日、配布部数、チラシ用紙サイズ、配布単価、配布価格、開始予定日、完了予定日、および併配可否、情報共有装置１０１が設定する併配承認フラグなどを含んでいる。ここで、併配可否とは、スマートフォンから入力される、配布依頼をするクライアントが併配を希望するかしないか、併配を許可するかしないかに関するデータである。
【００１７】
さらに、配布エリア情報データベース１１２は、データとして、例えば、後述する図７（ｂ）を参照して、配布依頼コード、住所から緯度および経度をコード化した町丁目Ｇｅｏｃｏｄｅ、世帯数、配布単価などを含んでいる。ここで、町丁目Ｇｅｏｃｏｄｅの代わりに、地方により独自に形成されたエリア、例えば、町丁目が広すぎた場合などに分類されるエリアなどに基づくＧｅｏｃｏｄｅを使用してもよい。
【００１８】
また、ポスティング予約データベース１１３は、データとして、例えば、後述する図７（ｃ）を参照して、配布員がスマートフォンから配布依頼の受託申請をすると情報共有装置１０１が割り当てるポスティングコード、配布員がスマートフォンから会員登録をすると情報共有装置１０１が割り当てる配布員コード、開始日、完了日、情報共有装置１０１が各々設定する仮申請フラグおよび承認フラグなどを含んでいる。
【００１９】
担当配布依頼情報データベース１１４は、データとして、例えば、後述する図７（ｄ）を参照して、ポスティングコード、配布依頼コードなどを含んでいる。
【００２０】
情報共有装置１０１は、図２を参照して後述するアプリケーションソフトウェアを実行することにより、配布依頼データベース１１１、配布エリア情報データベース１１２、ポスティング予約データベース１１３、または担当配布依頼情報データベース１１４に対して処理に必要なデータの読み書きをして、配布依頼を受け付けて配布価格を決定する。詳細は、図３〜７を参照して後述する。
【００２１】
本明細書において、説明の目的のために、情報共有装置１０１は、配布依頼データベース１１１、配布エリア情報データベース１１２、ポスティング予約データベース１１３、および担当配布依頼情報データベース１１４を含んでいる。場合によっては、必要とされる組み合わせに応じて、情報共有装置１０１と、配布依頼データベース１１１と、配布エリア情報データベース１１２と、ポスティング予約データベース１１３と、担当配布依頼情報データベース１１４とを分離して、直接接続してもよいしネットワークを通じて接続してもよい。
【００２２】
図２は、本発明の一実施形態にかかるポスティングの情報共有装置を示すブロック図である。情報共有装置１０１は、各ブロックを制御する中央処理装置２０１と、プログラムおよびデータを記憶するメモリー２０２と、データを保存する記憶装置２０３と、入力を処理する入力装置２０４と、出力を表示する画面表示装置２０５と、インターネットに接続するネットワーク接続装置２０６とが、バス２０７を介して相互に接続されている。
【００２３】
中央処理装置２０１は、メモリー２０２に記憶されたプログラムを実行する。メモリー２０２は、基本ソフトウェア２１１、アプリケーションソフトウェア２１２、およびデータ２１３を含んでいる。
【００２４】
中央処理装置２０１は、ネットワーク接続装置２０６を介して、スマートフォン１０２または１０３からの配布依頼の要求を受信すると、基本ソフトウェア２１１と、アプリケーションソフトウェア２１２と、データ２１３とによって、配布依頼データベース１１１または配布エリア情報データベース１１２に対して処理に必要なデータの読み書きをする。読み書きをしたデータによって、配布依頼を受け付けて配布価格を決定する。決定した配布価格を、ネットワーク接続装置２０６を介して、スマートフォン１０２または１０３に送信する。
【００２５】
このような構成により、配布員の併配を実現することを可能にする情報共有装置を提供する。
【００２６】
図３、４は、本発明の一実施形態にかかるポスティングの情報共有方法を示すフローチャートである。情報共有装置１０１のメモリー２０２に格納されたアプリケーションソフトウェア２１２が実行されることにより、配布依頼を受け付ける方法の処理を説明する。
【００２７】
本明細書の一実施形態において、説明の目的のために、クライアントは、スマートフォン１０２を使用するクライアントＡと、スマートフォン１０３を使用するクライアントＢの２名であると仮定する。クライアントＡ、Ｂは、本実施形態のポスティングの情報共有方法を使用する会員登録を済ませている。会員登録の際には、クライアントＡ、Ｂが属する業種が登録される。会員登録を済ませた、クライアントＡは、新たな配布地域および期間において配布依頼をし、クライアントＢは、クライアントＡと同一の配布地域および期間において、配布依頼をすると仮定する。
【００２８】
また、配布員Ａがスマートフォン１０４を使用すると仮定する。配布員Ａは、本実施形態のポスティングの情報共有方法を使用する会員登録を済ませている。会員登録を済ませた配布員Ａは、スマートフォン１０４のアプリケーションソフト上の地図を使用して、配布可能な範囲、例えば、台東区、東横線沿線、祐天寺駅周辺などを予め登録していると仮定する。
【００２９】
情報共有装置１０１のメモリー２０２に格納されたアプリケーションソフトウェア２１２が実行されて処理が開始されると、スマートフォン１０２に表示される配布依頼受付ページから、クライアントＡにより、配布部数、配布地域、配布期間、チラシ用紙サイズ、および併配可否を含む配布依頼内容に関する情報が入力される。
【００３０】
ステップＳ３０１において、ネットワーク接続装置２０６を介して、スマートフォン１０２から、入力された配布依頼内容のデータを含んでいる配布依頼の要求を中央処理装置２０１が受信し、ステップＳ３０２に進む。
【００３１】
ステップＳ３０２において、例えば、スマートフォン１０２の画面に、入力された配布依頼内容の確認画面が表示されて、クライアントＡがスマートフォン１０２の画面上の確認ボタンをタッチすることなどにより、配布依頼内容が最終的に確定されると、受信した配布依頼内容のデータに含まれる、配布部数、配布地域、配布期間、およびチラシ用紙サイズに基づいて、中央処理装置２０１が、配布単価および世帯数を決定し、配布価格を計算する。決定した配布単価および世帯数と、計算した配布価格とを、インターネット１０５を通じてスマートフォン１０２の画面に表示させ、ステップＳ３０３に進む。
【００３２】
ステップＳ３０３において、スマートフォン１０２の画面に表示された、配布単価、世帯数、および配布価格がクライアントＡにより確認された後に、ステップＳ３０１、Ｓ３０２において処理された、クライアントＡからの配布依頼が確定されたかどうかを中央処理装置２０１が決定する。配布依頼が確定した場合には、ステップＳ３０４に進む。配布依頼が確定していない場合には、ステップＳ３０１に戻る。
【００３３】
ステップＳ３０４において、ステップＳ３０２にて受信した配布依頼内容に含まれるデータと、ステップＳ３０３にて確定された配布単価、世帯数、および配布価格に関するデータとを、配布依頼テーブルまたは配布エリア情報テーブルに中央処理装置２０１が書き込んでデータ保持をし、ステップＳ３０５に進む。
【００３４】
ステップＳ３０５において、データ保持をした配布依頼内容に含まれるデータと配布単価、世帯数、および配布価格に関するデータとに基づいて、配布情報である、配布員公開用およびクライアント公開用のポスティング予約情報を中央処理装置２０１が作成する。作成されたクライアント公開用のポスティング予約情報によって、クライアントＢのスマートフォン１０３において、すでにポスティングが予定されている配布エリアを地図上に表示させることができる。作成した２つの公開用のポスティング予約情報を、中央処理装置２０１がインターネット１０５を通じて公開し、ステップＳ３０６に進む。
【００３５】
ここで、配布員公開用のポスティング予約情報は、すべての配布員に公開される。クライアント公開用のポスティング予約情報は、クライアントＡの併配可否のデータが併配を希望すること、併配を許可することを示す場合のみ、他のクライアントに対して公開される。また、もし会員登録の際に入力された他のクライアントの業種とクライアントＡの業種とが同一であるならば、他のクライアントに対して、クライアント公開用のポスティング予約情報を公開しない。
【００３６】
本明細書において、ポスティング予約情報は、配布員公開用とクライアント公開用とに分けている。配布員公開用とクライアント公開用とを区別しないで、配布員およびクライアントに共通のポスティング予約情報を公開してもよい。
【００３７】
ステップＳ３０６において、配布員Ａにより、スマートフォン１０４上に表示された、予め登録した配布可能な範囲に合う、公開されたポスティング予約情報が検索される。配布員Ａが検索されたポスティング予約情報に関する配布依頼を受けたい場合に、スマートフォン１０４から配布依頼受託申請のデータを送信する。ネットワーク接続装置２０６を介して、スマートフォン１０４から送信された配布依頼受託申請のデータを中央処理装置２０１が受信し、ステップＳ３０７に進む。
【００３８】
実際に、配布依頼を受ける配布員Ａのポスティングの種類には、例えば、配布地域内の全戸に配布する全戸配布、軒が続いて並んだ家に配布する軒並み配布、戸建てのみに配布する戸建て住宅限定配布、集合住宅のみに配布する集合住宅限定配布、事務所やお店などに配布する事務所やお店限定配布、事務所やお店などでないところに配布する事務所やお店以外限定配布、指定された建物のみに配布する、指定した建物限定配布などがある。
【００３９】
なお、指定した建物限定配布では、地図上に指定された建物の位置が表示され、配布員Ａは、表示された地図をみながら配布をすることができる。
【００４０】
ステップＳ３０７において、例えば、スマートフォン１０４の画面に、入力された配布依頼受託申請の確認画面が表示されて、配布員Ａが確認ボタンをタッチすることなどにより、配布依頼受託申請が最終的に確定されると、受信した配布依頼受託申請に関するデータをポスティング予約テーブルまたは担当配布依頼情報テーブルに中央処理装置２０１が書き込んでデータ保持をし、ステップＳ４０１に進む。
【００４１】
ステップＳ４０１において、中央処理装置２０１が、ポスティング予約テーブルに含まれる仮申請フラグをＯＮに設定し、ポスティング予約テーブルに含まれる承認フラグをＯＦＦに設定する。さらに、クライアントＡのスマートフォン１０２に対して、配布依頼受託申請が発生したことを示すデータをプッシュ通知により中央処理装置２０１が送信し、ステップＳ４０２に進む。
【００４２】
ステップＳ４０２において、クライアントＡにより配布員Ａの配布依頼受託申請を承認するかまたは否認するが選択される。選択された結果を含む受託申請回答のデータを、クライアントＡのスマートフォン１０２からネットワーク接続装置２０６を介して中央処理装置２０１が受信し、ステップＳ４０３に進む。
【００４３】
ステップＳ４０３において、ステップＳ４０２にて受信した受託申請回答のデータに基づいて、配布員Ａの配布依頼受託申請が承認されたかどうかを中央処理装置２０１が決定する。配布依頼受託申請が承認された場合には、ステップＳ４０４に進む。配布依頼受託申請が承認されない場合には、中央処理装置２０１が、ポスティング予約テーブルに含まれる仮申請フラグをＯＦＦに設定し、ステップＳ４０２に戻る。配布依頼受託申請が承認されない場合、ポスティング予約テーブルまたは担当配布依頼情報テーブルに書き込まれた配布依頼受託申請に関するデータを、履歴情報としてデータ保持をする。
【００４４】
ステップＳ４０４において、中央処理装置２０１が、ポスティング予約テーブルに含まれる仮申請フラグをＯＦＦに設定し、ポスティング予約テーブルに含まれる承認フラグをＯＮに設定する。クライアントＡの配布依頼を受け付ける方法の処理が終了する。
【００４５】
図５、６は、本発明の一実施形態にかかる併配が実現する場合のポスティングの情報共有方法を示すフローチャートである。上述したステップＳ３０５において公開されたクライアント公開用のポスティング予約情報を、クライアントＢがスマートフォン１０３の地図上において閲覧する。閲覧したクライアントＢが併配を希望する場合、情報共有装置１０１のメモリー２０２に格納されたアプリケーションソフトウェア２１２が実行されることにより、併配の配布依頼である併配依頼を受け付ける方法の処理を説明する。
【００４６】
ステップＳ５０１において、ネットワーク接続装置２０６を介して、スマートフォン１０３から、入力された併配依頼内容のデータを含んでいる併配依頼の要求を中央処理装置２０１が受信し、ステップＳ５０２に進む。
【００４７】
ステップＳ５０２において、クライアントＢからの併配依頼内容がクライアントＢにより最終的に確定された後に、受信した併配依頼内容のデータに含まれる、配布部数、配布地域、配布期間、およびチラシ用紙サイズに基づいて、中央処理装置２０１が、配布単価および世帯数を決定し、併配の配布価格を計算する。決定した配布単価および世帯数と、計算した併配の配布価格とを、インターネット１０５を通じてスマートフォン１０３の画面に表示させ、ステップＳ５０３に進む。
【００４８】
ここで、併配のクライアントの配布価格を計算するには、例えば、後述する図８（ａ）において例示するように、クライアント数が１である１クライアントの場合よりも、クライアント数が２である２クライアントの場合の方が小さい係数を、乗数として使用する。小さい係数を使用することにより、配布員Ａが併配依頼を受託すると、ポスティングの委託契約後であってもクライアントＡの配布価格を下げることができ、併配の実現を容易にさせることが可能となる。
【００４９】
より詳細には、例えば、後述する図８（ｃ）において例示するように、配布地域毎に、チラシ用紙サイズ毎に異なる、チラシ１枚当たりの基準価格を使用することができる。配布地域がエリアＡ、チラシ用紙サイズがＡ４の場合、チラシ１枚当たりの基準価格は４．０円である。さらに、配布員が通常配布員の場合、クライアントＡおよびＢに対する、チラシ１枚当たりの併配の配布価格は、４．０円×０．９＝３．６円となる。
【００５０】
ステップＳ５０３において、スマートフォン１０３の画面に表示された、配布単価、世帯数、および併配の配布価格がクライアントＢにより確認された後に、クライアントＢからの併配依頼が確定されたかどうかを中央処理装置２０１が決定する。併配依頼が確定した場合には、例えば、後述する図８（ｂ）において例示するような係数を用いて、配布員Ａの配布価格を中央処理装置２０１が再計算し、ステップＳ５０４に進む。併配依頼が確定していない場合には、ステップＳ５０１に戻る。
【００５１】
ステップＳ５０４において、ステップＳ５０１にて受信した併配依頼内容に含まれるデータと、ステップＳ５０２にて確定された配布単価および併配の配布価格に関するデータとを、配布依頼テーブルに中央処理装置２０１が書き込んでデータ保持をし、ステップＳ５０５に進む。
【００５２】
ステップＳ５０５において、中央処理装置２０１が、配布依頼テーブルに含まれる併配承認フラグをＯＦＦに設定する。さらに、クライアントＡのスマートフォン１０２および配布員Ａのスマートフォン１０４に対して、ステップＳ５０２において計算した併配の配布価格を含む、併配希望が発生したことを示すデータをプッシュ通知により中央処理装置２０１が送信し、ステップＳ６０１に進む。
【００５３】
ステップＳ６０１において、併配希望が発生したことを示すデータを受信した、スマートフォン１０４を使用する配布員Ａにより、併配依頼を受託するかしないかが選択される。選択された結果を含む併配依頼回答のデータを、配布員Ａのスマートフォン１０４からネットワーク接続装置２０６を介して中央処理装置２０１が受信し、ステップＳ６０２に進む。
【００５４】
ステップＳ６０２において、ステップＳ６０１にて受信した併配依頼回答のデータに基づいて、配布員Ａにより併配依頼が受託されたかどうかを中央処理装置２０１が決定する。併配依頼が受託された場合には、ステップＳ６０３に進む。併配依頼が受託されない場合には、中央処理装置２０１が、配布依頼テーブルに含まれる併配承認フラグをＯＦＦに設定し、ステップＳ６０１に戻る。併配依頼が受託されない場合、配布依頼テーブルに書き込まれた併配依頼に関するデータを、履歴情報としてデータ保持をする。
【００５５】
ステップＳ６０３において、ステップＳ３０７、Ｓ４０１、Ｓ４０３、およびＳ４０４にて使用したポスティング予約テーブルに、中央処理装置２０１が、クライアントＢの併配依頼内容のデータを追加して書き込んで、ステップＳ６０４に進む。
【００５６】
ステップＳ６０４において、中央処理装置２０１が、配布依頼テーブルに含まれる併配承認フラグをＯＮに設定し、ステップＳ６０５に進む。
【００５７】
ステップＳ６０５において、クライアントＡのスマートフォン１０２に対して、ステップＳ５０２において計算した併配の配布価格を含む、併配が成立したことを示すデータを中央処理装置２０１が作成し、作成した併配が成立したこと示すデータをプッシュ通知により中央処理装置２０１が送信する。クライアントＢの併配の配布依頼を受け付ける方法の処理が終了する。
【００５８】
結果として、ステップＳ５０２の併配の配布価格を計算する際に、基準価格に対して、１クライアントの場合よりも２クライアントの場合の方が小さい乗数を使用したので、クライアントＡの配布価格は、ステップＳ３０１〜Ｓ４０４において配布依頼が成立して、決定された配布価格よりも、値下げされた配布価格になる。また、配布員Ａの配布価格は、ステップＳ３０１〜Ｓ４０４において配布依頼受託が成立して、決定された配布価格よりも、値上げされた配布価格になる。
【００５９】
図７は、本発明の一実施形態にかかるポスティングの情報共有装置に含まれるデータベースにおけるテーブルを例示する図である。図７（ａ）の配布依頼テーブルは配布依頼データベース１１１に、図７（ｂ）の配布エリア情報テーブルは配布エリア情報データベース１１２に、図７（ｃ）のポスティング予約テーブルはポスティング予約データベース１１３に、および図７（ｄ）の担当配布依頼情報テーブルは担当配布依頼情報データベース１１４に含まれている。
【００６０】
なお、図７の各テーブルのレコードに記載された値は、例示の目的で記載された値であり、本願発明を限定しない。
【００６１】
図８は、本発明の一実施形態にかかる併配が実現する場合のポスティングの情報共有方法に用いるクライアントおよび配布員の配布価格を例示する図である。図８（ａ）は、クライアントＡ〜Ｃの配布価格において、配布員のランクが、通常、ベテラン、およびプレミアムに区分され、クライアント数が１〜３に区分された場合の例を示す図である。
【００６２】
図８（ｂ）は、配布員Ａの配布価格において、配布員のランクが、通常、ベテラン、およびプレミアムに区分され、クライアント数が１〜３に区分された場合の例を示す図である。
【００６３】
ここで、本明細書において、説明の目的のために、クライアントが２名の場合を仮定した。クライアントが３名であっても、同様にステップＳ５０１〜Ｓ６０５の処理をして、併配依頼を受け付けることができる。図８のクライアントＣは、クライアントＡ、Ｂに続いて、３人目のクライアントであると仮定する。
【００６４】
図８（ｃ）は、チラシ１枚当たりの基準価格において、チラシ用紙サイズが、Ｂ５以下、Ａ４、Ｂ４、Ａ３、およびＢ３に区分され、さらに配布地域が、エリアＡ、エリアＢ、エリアＣ、およびエリアＤに区分された場合の例を示す図である。
【００６５】
本明細書において、説明の目的のために、クライアントＡのポスティング予約情報の公開後において、時系列は、配布員Ａの配布依頼受託、クライアントＢの併配依頼の順であるとした。クライアントＡのポスティング予約情報の公開後において、時系列は、クライアントＢの併配依頼、配布員Ａの配布依頼受託の順であってもよい。クライアントＢの併配依頼、配布員Ａの配布依頼受託の順であっても、クライアントＡ、Ｂ，および配布員Ａの配布価格は、最終的に、本明細書において上述した順である前者の場合と同じ金額になる。
【００６６】
また、クライアントが３名の場合、クライアントＡ〜Ｃおよび配布員Ａの配布価格は、クライアントＡのポスティング予約情報の公開後において、配布員Ａの配布依頼受託と、クライアントＢの併配依頼と、クライアントＣの併配依頼との時系列の順によらず、最終的に同じ金額になる。
【００６７】
本実施形態によれば、すでにポスティングが予定されている配布エリアを情報端末の地図上に表示することにより、配布員の併配を実現しクライアントのポスティングの委託契約後において配布価格を下げることができる。
【００６８】
図９は、本発明の別の実施形態にかかる併配を促す場合のポスティングの情報共有方法を示すフローチャートである。情報共有装置１０１のメモリー２０２に格納されたアプリケーションソフトウェア２１２が実行されることにより、配布依頼を受け付けて、併配を促す方法の処理を説明する。
【００６９】
図３、４の説明において仮定したのと同様に、クライアントＡ、Ｂは、本願発明におけるポスティングの情報共有方法の使用に関する会員登録を済ませている。会員登録を済ませたクライアントＡが、新たな配布地域および期間において配布依頼をする。会員登録を済ませた、クライアントＡと異なる業種のクライアントＢが、クライアントＡと同一の配布地域および期間において、配布依頼を検討していると仮定する。また、配布員Ａに対する仮定も、図３、４の説明において仮定したのと同様である。
【００７０】
ステップＳ９０１はステップＳ３０１と、ステップＳ９０２はステップＳ３０２と、ステップＳ９０３はステップＳ３０３と、ステップＳ９０４はステップＳ３０４と、およびステップＳ９０５はステップＳ３０５と同じ処理である。
【００７１】
ステップＳ９０６において、クライアントＢのスマートフォン１０３に、配布情報であるポスティング予約情報が公開されたことを示すデータを、インターネット１０５を通じてプッシュ通知により中央処理装置２０１が送信する。ポスティング予約情報が公開されたことを示すデータに関する情報を、クライアントＢがスマートフォン１０３の地図上において閲覧する。閲覧したクライアントＢが併配を希望する場合には、図５のステップＳ５０１に進む。
【００７２】
なお、本発明の別の実施形態におけるステップＳ６０３において、ポスティング予約テーブルに、クライアントＢの併配依頼内容のデータだけでなくクライアントＡの配布依頼内容のデータも中央処理装置２０１が書き込む。配布情報であるポスティング予約情報が公開されたことを示すデータをプッシュ通知により中央処理装置２０１が送信することにより、配布依頼を検討しているクライアントに併配を促すことができるようになる。併配により配布員の配布価格を上げることができるので、配布依頼受託を希望する配布員が現れる時間を短縮することができるようになる。
【００７３】
本発明の別の実施形態によれば、すでにポスティングが予定されている配布エリアを情報端末の地図上に表示することにより、配布員の併配を実現しクライアントのポスティングの委託契約後において配布価格を下げることができる。
【産業上の利用可能性】
【００７４】
本発明は、ポスティングの分野において、スマートフォンを使用するクラウドシステムにおける併配の配布価格を決定することができる。
【符号の説明】
【００７５】
１０１  情報共有装置
１０２  スマートフォン
１０３  スマートフォン
１０４  スマートフォン
【図１】
2020154522.tif 000003
【図２】
2020154522.tif 000004
【図３】
2020154522.tif 000005
【図４】
2020154522.tif 000006
【図５】
2020154522.tif 000007
【図６】
2020154522.tif 000008
【図７】
2020154522.tif 000009
【図８】
2020154522.tif 000010
【図９】
2020154522.tif 000011